(57)【要約】【課題】  配管ジョイント部材に複数のトラップケーシングを着脱する。【解決手段】  入口通路９と出口通路１０を形成した接続部８を一側面に有し入口通路９に連通する入口室１１と出口通路１０に連通する連通路１２とを有するトラップケーシング５，６，７と、第２入口通路４９と第２出口通路５０を形成した第２接続部４８を一側面に有し第２入口通路４９に連通する第２入口室５１と第２出口通路５０に連通する第２連通路５２とを有する第２トラップケーシング４５，４６，４７と、入口通路９に連通する入口連結路２５及び出口通路１０に連通する出口連結路２６を一側面に有するとともに第２入口通路４９に連通する第２入口連結路６５及び第２出口通路５０に連通する第２出口連結路６６を他側面に有しトラップケーシング５，６，７及び第２トラップケーシング４５，４６，４７に回動自在に着脱される配管ジョイント部材２とを具備する。【選択図】      図１
2011241855.tif 000002
【特許請求の範囲】
【請求項１】
入口通路と出口通路を形成した接続部を一側面に有し入口通路に連通する入口室と出口通路に連通する連通路とを内部に有するトラップケーシングと、第２入口通路と第２出口通路を形成した第２接続部を一側面に有し第２入口通路に連通する第２入口室と第２出口通路に連通する第２連通路とを内部に有する第２トラップケーシングと、入口通路に連通する入口連結路及び出口通路に連通する出口連結路を一側面に有するとともに第２入口通路に連通する第２入口連結路及び第２出口通路に連通する第２出口連結路を他側面に有し入口連結路及び第２入口連結路に連通する入口と出口連結路及び第２出口連結路に連通する出口を有しトラップケーシング及び第２トラップケーシングに回動自在に着脱される配管ジョイント部材と、接続部と一体にあるいは別体に形成されトラップケーシングと配管ジョイント部材を連結する固定部材と、第２接続部と一体にあるいは別体に形成され第２トラップケーシングと配管ジョイント部材を連結する第２固定部材と、出口通路と出口連結路の連結部の少なくとも一方側に設けられ入口通路あるいは入口連結路を囲む環状溝と、第２出口通路と第２出口連結路の連結部の少なくとも一方側に設けられ第２入口通路あるいは第２入口連結路を囲む第２環状溝と、入口室と連通路との間に形成された弁口と、第２入口室と第２連通路との間に形成された第２弁口と、入口室に配され弁口を開閉するフロートと、第２入口室に配され第２弁口を開閉する第２フロートとを具備し、弁口は対応するフロートが全使用圧力範囲に渡って開弁できる大きさに形成し、第２弁口は対応する第２フロートが所定の低い圧力範囲でのみ開弁できる大きさに形成してあることを特徴とする配管ジョイント付スチームトラップ。
【発明の詳細な説明】
【技術分野】
【０００１】
本発明は、蒸気輸送管や蒸気使用機器等の蒸気配管系に発生する復水を自動的に排出するスチームトラップに関し、特に種々の配管取り付け状態に応じて取り付けることのできる配管ジョイント付スチームトラップに関する。
【背景技術】
【０００２】
蒸気配管系においては復水の発生は不可避であり、適宜発生した復水を系外に排出する必要がある。この復水を自動的に排出する装置がスチームトラップと呼ばれる特殊なバルブであり、弁部材の駆動原理によって、蒸気と復水の比重差を利用したメカニカルタイプ、蒸気と復水の熱力学的特性差を利用したサーモダイナミックタイプ、蒸気と復水の温度差を利用したサーモスタチックタイプ等に分類される。このスチームトラップは、蒸気配管や蒸気使用装置の下部末端に取り付けられる場合が多く、スチームトラップの取り付けスペースや取り付け方向が、その他の配管や装置により限定されたものとなってしまうことが多かった。そこでトラップの取り付けスペースや方向が限定されたものになっていたとしても、比較的広範囲の対象に取り付けることができるトラップとして、配管ジョイント付スチームトラップが用いられている。従来の配管ジョイント付スチームトラップは、例えば特許文献１や特許文献２に開示されている。これは、入口通路と出口通路を形成した接続部を一側面に有し入口通路に連通する入口室と出口通路に連通する連通路とを内部に有するトラップケーシングと、入口通路に連通する入口連結路及び出口通路に連通する出口連結路を一側面に有するとともに入口連結路に連通する入口と出口連結路に連通する出口を有しトラップケーシングに回動自在に着脱される配管ジョイント部材と、接続部と一体にあるいは別体に形成されトラップケーシングと配管ジョイント部材を連結する固定部材と、出口通路と出口連結路の連結部の少なくとも一方側に設けられ入口通路あるいは入口連結路を囲む環状溝と、入口室と連通路との間に形成された弁口を開閉する弁部材とを具備するものである。
【先行技術文献】
【特許文献】
【０００３】
【特許文献１】特開平６−１５９５９２号公報
【特許文献２】特開２００１−９９３９６号公報
【発明の概要】
【発明が解決しようとする課題】
【０００４】
上記従来の配管ジョイント付スチームトラップは、配管ジョイント部材に単一のトラップケーシングが着脱されるだけであり、配管ジョイント部材に複数のトラップケーシングを着脱することができないという問題点があった。
【０００５】
したがって本発明が解決しようとする課題は、配管ジョイント部材に複数のトラップケーシングを着脱することができる配管ジョイント付スチームトラップを提供することである。
【課題を解決するための手段】
【０００６】
上記の課題を解決するために、本発明の配管ジョイント付スチームトラップは、入口通路と出口通路を形成した接続部を一側面に有し入口通路に連通する入口室と出口通路に連通する連通路とを内部に有するトラップケーシングと、第２入口通路と第２出口通路を形成した第２接続部を一側面に有し第２入口通路に連通する第２入口室と第２出口通路に連通する第２連通路とを内部に有する第２トラップケーシングと、入口通路に連通する入口連結路及び出口通路に連通する出口連結路を一側面に有するとともに第２入口通路に連通する第２入口連結路及び第２出口通路に連通する第２出口連結路を他側面に有し入口連結路及び第２入口連結路に連通する入口と出口連結路及び第２出口連結路に連通する出口を有しトラップケーシング及び第２トラップケーシングに回動自在に着脱される配管ジョイント部材と、接続部と一体にあるいは別体に形成されトラップケーシングと配管ジョイント部材を連結する固定部材と、第２接続部と一体にあるいは別体に形成され第２トラップケーシングと配管ジョイント部材を連結する第２固定部材と、出口通路と出口連結路の連結部の少なくとも一方側に設けられ入口通路あるいは入口連結路を囲む環状溝と、第２出口通路と第２出口連結路の連結部の少なくとも一方側に設けられ第２入口通路あるいは第２入口連結路を囲む第２環状溝と、入口室と連通路との間に形成された弁口と、第２入口室と第２連通路との間に形成された第２弁口と、入口室に配され弁口を開閉するフロートと、第２入口室に配され第２弁口を開閉する第２フロートとを具備し、弁口は対応するフロートが全使用圧力範囲に渡って開弁できる大きさに形成し、第２弁口は対応する第２フロートが所定の低い圧力範囲でのみ開弁できる大きさに形成してあることを特徴とするものである。
【発明の効果】
【０００７】
本発明によれば、配管ジョイント部材の一側面にトラップケーシングが回動自在に着脱され配管ジョイント部材の他側面に第２トラップケーシングが回動自在に着脱されるものであるので、配管ジョイント部材に複数のトラップケーシングを着脱することができる配管ジョイント付スチームトラップを提供することができるという優れた効果を奏する。また、弁口は対応するフロートが全使用圧力範囲に渡って開弁できる大きさに形成し、第２弁口は対応する第２フロートが所定の低い圧力範囲でのみ開弁できる大きさに形成してあることにより、低圧時大容量の配管ジョイント付スチームトラップを提供することができるという優れた効果を奏する。
【図面の簡単な説明】
【０００８】
【図１】本発明の実施の形態に係わる配管ジョイント付スチームトラップの断面図である。
【発明を実施するための形態】
【０００９】
以下、本発明の実施の形態について、図１を参照して説明する。配管ジョイント付スチームトラップはスチームトラップ１と配管ジョイント部材２とを固定部材３を介して図示しないボルトで固着するとともに、第２スチームトラップ４１と配管ジョイント部材２とを第２固定部材４３を介して図示しないボルトで固着して構成する。スチームトラップ１のトラップケーシングは、本体５，６と仕切り部材７と接続部８とで構成する。接続部８は中心部に入口通路９を有し、入口通路９の上方と下方に出口通路１０を有する。出口通路１０は少なくとも一つ設けることができる。接続部８を仕切り部材７と本体６に溶接し、本体６と仕切り部材７を溶接し、本体５と本体６を溶接して、トラップケーシング内を入口通路９に連通する入口室１１と、出口通路１０に連通する連通路１２に仕切る。仕切り部材７の下部に弁座部材１３を溶接する。弁座部材１３は基台部分と基台部分に圧入された先端部分とから成り、先端部分に入口室１１と連通路１２の間の弁口１４を有する。入口室１１に中空球形のフロート１５を自由状態で収容する。フロート１５は入口室１１の液面にしたがって浮上降下し、外表面が弁座部材１３に直接離着座して弁口１４を開閉する。弁口１４は対応するフロート１５が全使用圧力範囲に渡って開弁できる大きさに形成する。弁座部材１３の基台部分にフロート座部材１６を溶接する。フロート座部材１６は弁口１４の軸からフロート１５の半径の長さ離れた、当該軸に平行の二本の足を有する。第２スチームトラップ４１の第２トラップケーシングは、第２本体４５，４６と第２仕切り部材４７と第２接続部４８とで構成する。第２接続部４８は中心部に第２入口通路４９を有し、第２入口通路４９の上方と下方に第２出口通路５０を有する。第２出口通路５０は少なくとも一つ設けることができる。第２接続部４８を第２仕切り部材４７と第２本体４６に溶接し、第２本体４６と第２仕切り部材４７を溶接し、第２本体４５と第２本体４６を溶接して、第２トラップケーシング内を第２入口通路４９に連通する第２入口室５１と、第２出口通路５０に連通する第２連通路５２に仕切る。第２仕切り部材４７の下部に第２弁座部材５３を溶接する。第２弁座部材５３は第２基台部分と第２基台部分に圧入された第２先端部分とから成り、第２先端部分に第２入口室５１と第２連通路５２の間の第２弁口５４を有する。第２入口室５１に中空球形の第２フロート５５を自由状態で収容する。第２フロート５５は第２入口室５１の液面にしたがって浮上降下し、外表面が第２弁座部材５３に直接離着座して第２弁口５４を開閉する。第２弁口５４は対応する第２フロート５５が所定の低い圧力範囲でのみ開弁できる大きさに形成する。第２弁座部材５３の基台部分に第２フロート座部材５６を溶接する。第２フロート座部材５６は第２弁口５４の軸から第２フロート５５の半径の長さ離れた、当該軸に平行の二本の足を有する。
【００１０】
配管ジョイント部材２は、同軸上に上部に入口２３と下部に出口２４を有し、その中央部に入口通路９に連通する入口連結路２５と第２入口通路４９に連通する第２入口連結路６５を有し、入口連結路２５と第２入口連結路６５の下方に出口通路１０に連通する出口連結路２６と第２出口通路５０に連通する第２出口連結路６６を有する。出口通路１０と出口連結路２６は、入口通路９を囲む環状溝２８と入口連結路２５を囲む環状溝２９を介して連通し、第２出口通路５０と第２出口連結路６６は、第２入口通路４９を囲む第２環状溝６８と第２入口連結路６５を囲む第２環状溝６９を介して連通する。環状溝は出口通路１０と出口連結路２６の少なくとも一方側に設けることができ、第２環状溝は第２出口通路５０と第２出口連結路６６の少なくとも一方側に設けることができる。配管ジョイント部材２と接続部８の間には気密を維持するためのガスケット３０，３１を介在させ、配管ジョイント部材２と第２接続部４８の間には気密を維持するための第２ガスケット７０，７１を介在させる。固定部材３は接続部８と別体の平板リング状に形成して内面に段部を設け、段部を接続部８に取り付けた固定リング３２と嵌め合わせ、配管ジョイント部材２に設けたフランジ部３３と対向して配置する。固定部材３と配管ジョイント部材２を図示しないボルトで固着することにより、スチームトラップ１と配管ジョイント部材２を連結する。固定部材３は接続部８と一体に設けることもできる。第２固定部材４３は第２接続部４８と別体の平板リング状に形成して内面に段部を設け、段部を第２接続部４８に取り付けた第２固定リング７２と嵌め合わせ、配管ジョイント部材２に設けた第２フランジ部７３と対向して配置する。第２固定部材４３と配管ジョイント部材２を図示しないボルトで固着することにより、第２スチームトラップ１と配管ジョイント部材２を連結する。第２固定部材４３は第２接続部４８と一体に設けることもできる。
【００１１】
入口２３は蒸気使用機器等の復水発生個所に接続する。入口２３から流入してくる流体は、入口連結路２５から入口通路９を経て入口室１１に流入するとともに、第２入口連結路６５から第２入口通路４９を経て第２入口室５１に流入する。入口２３側の圧力が所定値よりも低い場合、入口室１１の液面の上昇によってフロート１５が浮上して弁口１４を開口する。これにより、入口室１１の復水が弁口１４から連通路１２、出口通路１０、環状溝２８，２９、出口連結路２６を経て出口２４に排出される。復水の排出によって入口室１１の液面が下がると、フロート１５が降下してフロート座部材１６に乗った位置で弁口１４を閉口する。第２入口室５１の液面の上昇によって第２フロート５５が浮上して第２弁口５４を開口する。これにより、第２入口室５１の復水が第２弁口５４から第２連通路５２、第２出口通路５０、第２環状溝６８，６９、第２出口連結路６６を経て出口２４に排出される。復水の排出によって第２入口室５１の液面が下がると、第２フロート５５が降下して第２フロート座部材５６に乗った位置で第２弁口５４を閉口する。入口２３側の圧力が所定値よりも高い場合、第２フロート５５は一旦閉弁すると第２弁口５４前後の圧力差により第２弁口５４を開口することができないが、フロート１５は入口室１１の液面の上昇によって浮上して弁口１４を開口する。
【産業上の利用可能性】
【００１２】
本発明は、蒸気輸送管や蒸気使用機器等の蒸気配管系に発生する復水を自動的に排出する配管ジョイント付スチームトラップに利用することができる。
【符号の説明】
【００１３】
１  スチームトラップ
２  配管ジョイント部材
３  固定部材
５，６  本体
７  仕切り部材
８  接続部
９  入口通路
１０  出口通路
１１  入口室
１２  連通路
１４  弁口
１５  フロート
２３  入口
２４  出口
２５  入口連結路
２６  出口連結路
２８，２９  環状溝
４１  第２スチームトラップ
４３  第２固定部材
４５，４６  第２本体
４７  第２仕切り部材
４８  第２接続部
４９  第２入口通路
５０  第２出口通路
５１  第２入口室
５２  第２連通路
５４  第２弁口
５５  第２フロート
６５  第２入口連結路
６６  第２出口連結路
６８，６９  第２環状溝
【図１】
2011241855.tif 000003